(57)【要約】      （修正有）【課題】発光ダイオードを備えた照明灯において、蛍光灯インバータ安定器と接続した際に安定して点灯させる。【解決手段】蛍光灯インバータ安定器５に接続可能な照明灯であって、発光ダイオード２７と、蛍光灯インバータ安定器５から供給される交流電圧を整流し、整流後の電圧を発光ダイオード２７に供給する整流回路２４と、蛍光灯インバータ安定器５から印加される電圧が所定電圧未満では蛍光灯インバータ安定器側５から整流回路２４側に電流を流さず、電圧が所定電圧以上になると蛍光灯インバータ安定器５側から整流回路２４側に電流を流す電圧検知回路３３と、を有する。【選択図】図７
2015179650.tif 000002
【特許請求の範囲】
【請求項１】
蛍光灯インバータ安定器に接続可能な照明灯であって、
発光ダイオードと、
前記蛍光灯インバータ安定器から供給される交流電圧を整流し、整流後の電圧を前記発光ダイオードに供給する整流回路と、
前記蛍光灯インバータ安定器から印加される電圧が所定電圧未満では前記蛍光灯インバータ安定器側から前記整流回路側に電流を流さず、前記電圧が前記所定電圧以上になると前記蛍光灯インバータ安定器側から前記整流回路側に電流を流す電圧検知回路と、を有することを特徴とする照明灯。
【請求項２】
前記電圧検知回路は、直流インピーダンス素子と、前記直流インピーダンス素子と直列に接続されたツェナーダイオードと、を備えていることを特徴とする請求項１記載の照明灯。
【請求項３】
前記整流回路は、前記整流後の電圧を正側配線と負側配線に出力し、
前記ツェナーダイオードのカソードは前記正側配線に接続され、
前記直流インピーダンス素子は、前記ツェナーダイオードのアノードと前記負側配線との間に接続されていることを特徴とする請求項２記載の照明灯。
【請求項４】
前記整流回路は、前記整流後の電圧を正側配線と負側配線に出力し、
前記ツェナーダイオードは、カソードを前記整流回路側に向けて前記正側配線に挿入され、
前記直流インピーダンス素子は、前記ツェナーダイオードのアノードと前記負側配線との間に接続されていることを特徴とする請求項２記載の照明灯。
【請求項５】
前記直流インピーダンス素子は、前記ツェナーダイオードのアノード側の電圧を分圧する直列に接続された複数の直流インピーダンス素子を含むことを特徴とする請求項３又は４記載の照明灯。
【請求項６】
前記所定電圧は、前記蛍光灯インバータ安定器から起動時に印加される電圧よりも大きく、かつ、前記蛍光灯インバータ安定器から定常時に印加される電圧よりも小さく設定されていることを特徴とする請求項１乃至５の何れか一項記載の照明灯。
【請求項７】
請求項１乃至６の何れか一項記載の照明灯と、
前記照明灯を装着する灯具と、を備えていることを特徴とする照明装置。
【発明の詳細な説明】
【技術分野】
【０００１】
本発明は、照明灯及び照明装置に関する。
【背景技術】
【０００２】
近年、低消費電力や長寿命等の特長を有する発光ダイオード（Light Emitting Diode、LED）を用いた照明灯（以降、ＬＥＤ照明灯とする場合がある）が注目されている。蛍光灯インバータ安定器の出力を入力とするＬＥＤ照明灯もそのうちの１つであり、従来の蛍光灯と置き換えて用いることができる。
【発明の概要】
【発明が解決しようとする課題】
【０００３】
ところで、蛍光灯インバータ安定器の中には、起動時に、定常時の電圧よりも低い電圧を蛍光灯の両端に印加するものがある。このような蛍光灯インバータ安定器に蛍光灯に置き換えてＬＥＤ照明灯を取り付けると、不点灯やちらつき等が生じ、安定して点灯できないという問題があった。
【０００４】
これは、蛍光灯の場合には起動時の低い電圧では電流が流れないが、ＬＥＤ照明灯の場合には起動時の低い電圧でも電流が流れる場合があるため、蛍光灯インバータ安定器が蛍光灯が正常に装着された場合とは異なる動作をしたことが原因であると考えられる。従って、ＬＥＤ照明灯を蛍光灯インバータ安定器に接続するためには、この問題を解決する必要がある。
【０００５】
本発明は、上記の点に鑑みてなされたものであり、発光ダイオードを備えた照明灯において、蛍光灯インバータ安定器と接続した際に安定して点灯させることを課題とする。
【課題を解決するための手段】
【０００６】
本照明灯は、蛍光灯インバータ安定器に接続可能な照明灯であって、発光ダイオードと、前記蛍光灯インバータ安定器から供給される交流電圧を整流し、整流後の電圧を前記発光ダイオードに供給する整流回路と、前記蛍光灯インバータ安定器から印加される電圧が所定電圧未満では前記蛍光灯インバータ安定器側から前記整流回路側に電流を流さず、前記電圧が前記所定電圧以上になると前記蛍光灯インバータ安定器側から前記整流回路側に電流を流す電圧検知回路と、を有することを要件とする。
【発明の効果】
【０００７】
開示の技術によれば、発光ダイオードを備えた照明灯において、蛍光灯インバータ安定器と接続した際に安定して点灯させることができる。
【図面の簡単な説明】
【０００８】
【図１】第１の実施の形態に係る照明装置の外観を例示する斜視図である。
【図２】第１の実施の形態に係る照明灯の回路ブロックを例示する図である。
【図３】第１の実施の形態の変形例１に係る照明灯の回路ブロックを例示する図である。
【図４】第１の実施の形態の変形例２に係る照明灯の回路ブロックを例示する図である。
【図５】第１の実施の形態の変形例３に係る照明灯の回路ブロックを例示する図である。
【図６】第１の実施の形態の変形例４に係る照明灯の回路ブロックを例示する図である。
【図７】第１の実施の形態に係る照明灯の主要な回路の結線を例示する図である。
【図８】第２の実施の形態に係る照明灯の主要な回路の結線を例示する図である。
【図９】第３の実施の形態に係る照明灯の主要な回路の結線を例示する図である。
【図１０】第１の実施の形態の変形例５に係る照明灯の回路ブロックを例示する図である。
【発明を実施するための形態】
【０００９】
以下、図面を参照して発明を実施するための形態について説明する。各図面において、同一構成部分には同一符号を付し、重複した説明を省略する場合がある。
【００１０】
〈第１の実施の形態〉
図１は、第１の実施の形態に係る照明装置の外観を例示する斜視図である。図１を参照するに、照明装置１は、照明灯２と、照明灯２を着脱可能に装着する灯具５とを有する。
【００１１】
照明灯２は、透光部２０と、口金２１及び２２とを有する。透光部２０は、内蔵された光源（後述のＬＥＤモジュール２７）から出射された光を透過する樹脂製やガラス製等の部材からなり、一端部に設けられた口金２１及び他端部に設けられた口金２２により封止されている。透光部２０は、例えば、直管形とすることができる。
【００１２】
口金２１は、凸型の端子２１１及び２１２を備えている。同様に、口金２２は、凸型の端子２２１及び２２２を備えている。但し、端子の一部は図１では図示されていない（後述の図７参照）。なお、透光部２０の内部には、電気回路が設けられている（後述の図２参照）。
【００１３】
灯具５は、蛍光灯安定器５０（図７参照）と、照明灯２を着脱可能に装着するソケット５１及び５２とを有し、商用交流電源と接続可能に構成されている。商用交流電源の周波数は、例えば、５０Ｈｚや６０Ｈｚである。商用交流電源からの電力は、蛍光灯安定器５０に供給される。
【００１４】
蛍光灯安定器５０は、例えば、周知の蛍光灯グロー安定器、蛍光灯ラピッド安定器、蛍光灯インバータ安定器等である。但し、後述のように、照明灯２は商用交流電源と直結可能に構成されており、その場合には蛍光灯安定器５０は不要となる。このように、照明灯２は、蛍光灯グロー安定器、蛍光灯ラピッド安定器、蛍光灯インバータ安定器、及び商用交流電源の何れとも接続可能に構成することができる。
【００１５】
ソケット５１は、凹型の端子５１１及び５１２を備えている。同様に、ソケット５２は、凹型の端子５２１及び５２２を備えている。但し、端子の一部は図１では図示されていない（後述の図７参照）。
【００１６】
照明灯２の口金２１の端子２１１及び２１２は、灯具５のソケット５１の端子５１１及び５１２に差し込まれて嵌合し、電気的に接続される。同様に、照明灯２の口金２２の端子２２１及び２２２は、灯具５のソケット５２の端子５２１及び５２２に差し込まれて嵌合し、電気的に接続される。
【００１７】
このように、照明灯２の形状は直管形の蛍光灯と類似しており、灯具５に取り付けられる既存の蛍光灯と容易に交換可能である。但し、照明灯２の形状は、蛍光灯と類似していなくても構わない。例えば、透光部２０の断面形状が円筒形でなく半円筒形等であってもよい。
【００１８】
図２は、第１の実施の形態に係る照明灯の回路ブロックを例示する図である。図２を参照するに、照明灯２は、主要部として、口金２１及び２２と、フィルタ回路２３と、整流回路２４及び２５と、ドライブ回路２６と、ＬＥＤモジュール２７と、インバータ検知回路２８とを有する。
【００１９】
フィルタ回路２３は、ＥＭＩ対策フィルタであり、照明灯２から周囲に発する電磁ノイズを低減するための回路である。フィルタ回路２３は、例えば、ライン間コンデンサ（Ｘコンデンサ）、対アースコンデンサ（Ｙコンデンサ）、コモンモードコイル、ノーマルモードコイル等を直列や並列に接続した回路（図示せず）とすることができる。照明灯２は、フィルタ回路２３を搭載することで、電磁ノイズを低減することが可能となり、ＥＭＩ（Electro-Magnetic Interference ）規格を満足することができる。
【００２０】
なお、フィルタ回路２３は、切替回路６１により、バイパス可能に構成されている。切替回路６１は、例えば、リレーや半導体スイッチ（ＦＥＴ等）により構成することができる。
【００２１】
整流回路２４及び２５は、入力部である口金２１及び２２からフィルタ回路２３を経由して供給される交流電圧を整流し、整流後の電圧をドライブ回路２６を介してＬＥＤモジュール２７に供給する回路である。
【００２２】
ドライブ回路２６は、複数の発光ダイオードを備えたＬＥＤモジュール２７を駆動する回路である。ドライブ回路２６は、例えば、昇降圧回路や定電流回路等を含む構成とすることができる。ドライブ回路２６を設けることで、整流回路２４及び２５から供給される電圧が変動してもＬＥＤモジュール２７に定格を超えない適正な電流を供給することが可能となり、ＬＥＤモジュール２７の故障を防止するとともに省電力を実現できる。
【００２３】
照明灯２は、蛍光灯グロー安定器、蛍光灯ラピッド安定器、蛍光灯インバータ安定器、及び商用交流電源の何れの電力供給部とも接続できるが、接続される対象により使用する回路を選択可能に構成されている。インバータ検知回路２８は、入力部に接続された電力供給部の方式を検知する検知回路である。
【００２４】
インバータ検知回路２８は、照明灯２が灯具５に接続されて通電された際に、灯具５に内蔵された蛍光灯安定器５０が蛍光灯インバータ安定器であるか否かを検知する回路である。蛍光灯安定器５０が蛍光灯インバータ安定器である場合、蛍光灯安定器５０から照明灯２に入力される信号の周波数は数１０ＫＨｚ程度の高周波である。
【００２５】
一方、蛍光灯安定器５０が蛍光灯グロー安定器、蛍光灯ラピッド安定器、商用交流電源の何れかである場合、蛍光灯安定器５０から（或いは、商用交流電源から直接）照明灯２に入力される信号の周波数は５０〜６０Ｈｚ程度の低周波である。そこで、インバータ検知回路２８は、例えば、照明灯２に入力される信号の周波数に基づいて、灯具５に内蔵された蛍光灯安定器５０が蛍光灯インバータ安定器であるか否かを検知することができる。
【００２６】
インバータ検知回路２８が、灯具５に内蔵された蛍光灯安定器５０が蛍光灯インバータ安定器であることを検知した場合には、切替回路６１により、フィルタ回路２３がバイパスされる。
【００２７】
すなわち、灯具５に内蔵された蛍光灯安定器５０が蛍光灯インバータ安定器である場合には、蛍光灯インバータ安定器から口金２１及び２２を介して照明灯２に入力された信号は、フィルタ回路２３をバイパスして整流回路２４及び２５に供給される。そして、整流回路２４及び２５の出力は、ドライブ回路２６を経て、ＬＥＤモジュール２７に供給される。
【００２８】
又、図３に記載のように、フィルタ回路２３とは別に、高周波用フィルタ回路６３を設ける構成としてもよい、インバータ検知回路２８が、灯具５に内蔵された蛍光灯安定器５０が蛍光灯インバータ安定器であることを検知した場合には、切替回路６１により、高周波用フィルタ回路６３を通るようにしても良い。そのため、フィルタ回路２３をバイパスしても、ＥＭＩノイズの問題は生じず、又、ＬＥＤモジュール２７に定格を超えない適正な電流を供給することが可能である。又、蛍光灯安定器５０にフィルタ回路に相当する機能が備えられている場合もある。
【００２９】
更に、図４に記載のように、ドライブ回路２６は、切替回路（図示せず）により、バイパス可能に構成されてもよい。切替回路は、例えば、リレーや半導体スイッチ（ＦＥＴ等）により構成することができる。切替回路６１によりフィルタ回路２３がバイパスされた場合には、整流回路２４及び２５の出力は、ドライブ回路２６をバイパスしてＬＥＤモジュール２７に供給される。なお、図４の照明灯においても、インバータ検知回路２８が、灯具５に内蔵された蛍光灯安定器５０が蛍光灯インバータ安定器であることを検知した場合には、切替回路６１により、高周波用フィルタ回路を通るようにしても良い。
【００３０】
更に、図５に記載のように、ドライブ回路２６とは別に、第２のドライブ回路６６を設ける構成にしてもよい。更に、図６に記載のように、照明灯２は、ラピッド検知回路２９を設ける構成にしてもよい。ラピッド検知回路２９は、照明灯２が灯具５に接続されて通電された際に、灯具５に内蔵された蛍光灯安定器５０が蛍光灯ラピッド安定器であるか否かを検知する回路である。
【００３１】
例えば、ラピッド検知回路２９が、灯具５に内蔵された蛍光灯安定器５０が蛍光灯ラピッド安定器であることを検知した場合には、フィルタ回路２３やドライブ回路２６はバイパスされないが、ドライブ回路２６の仕様が変更されるようにすることができる。
【００３２】
なお、インバータ検知回路２８が、蛍光灯安定器５０が蛍光灯インバータ安定器であることを検知せず、かつ、ラピッド検知回路２９が、蛍光灯安定器５０が蛍光灯ラピッド安定器であることを検知しない場合には、蛍光灯安定器５０が蛍光灯グロー安定器、又は、蛍光灯安定器５０を介さず照明灯２が商用交流電源に直結されたと認識し、口金２１及び２２を介して照明灯２に入力された信号は、フィルタ回路２３を経由して整流回路２４及び２５に供給される。そして、整流回路２４及び２５の出力は、ドライブ回路２６を経由してＬＥＤモジュール２７に供給される。又、ドライブ回路２６の仕様は、蛍光灯グロー安定器及び商用交流電源に適合したものが選択される。
【００３３】
更に、図１０に記載のように、フィルタ回路２３及び高周波フィルタ回路６３を設けない構成にしてもよい。
【００３４】
以上、図２乃至図６、及び図１０を参照しながら、照明灯２に搭載される回路ブロックの全体的な動作の概略を説明した。次に、図７を参照しながら、照明灯２の特徴的な動作について説明する。なお、図７では、本実施の形態に係る照明灯２の主要な回路の結線のみを示し、特徴的な動作に関係しない部分の結線については図示を省略している。
【００３５】
図７において、照明灯２の口金２１の端子２１１及び２１２は、灯具５のソケット５１の端子５１１及び５１２に差し込まれて嵌合し、電気的に接続されている。同様に、照明灯２の口金２２の端子２２１及び２２２は、灯具５のソケット５２の端子５２１及び５２２に差し込まれて嵌合し、電気的に接続されている。
【００３６】
整流回路２４及び２５は、口金２１及び２２からフィルタ回路２３（図７では図示せず）を経由して、又はフィルタ回路２３を経由せずに直接入力される交流電圧を整流する。整流回路２４及び２５は、例えば、逆回復時間が短い所謂ファーストリカバリダイオード等を用いて構成されたブリッジ型全波整流回路である。
【００３７】
整流回路２４及び２５により整流された整流後の電圧は、整流回路２４及び２５の出力部である正側配線３１及び負側配線３２を介して電圧検知回路３３の両端と電圧検知回路３３の後段に配されたドライブ回路２６（図７では図示せず）を経由してＬＥＤモジュール２７の両端に供給される。
【００３８】
ＬＥＤモジュール２７は、複数の発光ダイオード２７１が正側配線３１と負側配線３２との間に直列に接続された直列接続部（図７では６個の発光ダイオード２７１を直列に接続）を複数個有している。そして、各直列接続部は、複数列並列に接続されている。正側配線３１と負側配線３２との間の電圧が、直列接続部を構成する複数の発光ダイオード２７１の順方向電圧の総和を超えると、各発光ダイオード２７１に電流が流れて発光する。
【００３９】
前述のように、蛍光灯インバータ安定器の中には、起動時に、定常時の電圧よりも低い電圧を蛍光灯の両端に印加するものがある。そこで、蛍光灯インバータ安定器に照明灯２が装着されている場合にも、通常の蛍光灯が装着されている場合と同様の振る舞いをさせる必要がある。異なる振る舞いをすると、蛍光灯インバータ安定器は蛍光灯が正常に装着された場合とは異なる動作をし、不点灯やちらつき等が生じ、安定して点灯できないおそれがあるからである。
【００４０】
しかしながら、発光ダイオードを用いた照明灯の場合には、放電用の抵抗や抵抗分割により所定電圧を生成してＩＣ等に電源を供給する回路が、正側配線３１と負側配線３２との間に設けられている場合がある。その場合、何らの対策も講じないと、蛍光灯インバータ安定器から起動時に印加された低電圧により、放電用の抵抗等に電流が流れてしまう（つまり、蛍光灯が正常に装着された場合とは異なる動作をする）。その結果、発光ダイオードを用いた照明灯が安定して点灯できないおそれが生じる。
【００４１】
そこで、照明灯２では、放電用の抵抗等が設けられている場合でも、起動時に蛍光灯と同様に振る舞うように（つまり、起動時に電流が流れないように）、電圧検知回路３３を設けている。
【００４２】
電圧検知回路３３は、蛍光灯インバータ安定器から印加される電圧が所定電圧未満では蛍光灯インバータ安定器側から整流回路２４及び２５側に電流を流さず、所定電圧以上になると蛍光灯インバータ安定器側から整流回路２４及び２５側に電流を流す回路である。電圧検知回路３３は、例えば、放電用の抵抗等とツェナーダイオードとを直列に接続した回路とすることができる。
【００４３】
図７では、整流回路２４及び２５の出力側に放電用等の抵抗３３２が設けられている場合を例示しており、抵抗３３２とツェナーダイオード３３１とを直列に接続して電圧検知回路３３を構成している。具体的には、ツェナーダイオード３３１のカソード側は、正側配線３１と接続されている。又、ツェナーダイオード３３１のアノード側は抵抗３３２の一端と接続され、抵抗３３２の他端は負側配線３２と接続されている。
【００４４】
蛍光灯安定器５０が蛍光灯インバータ安定器である場合、定常時には、口金２１及び２２から数１０ＫＨｚ程度の高周波電圧（１００Ｖ程度の直流電圧に相当）が印加されるが、起動時には低電圧（例えば、５〜１０Ｖ程度の電圧）が印加される場合がある。そこで、電圧検知回路３３のツェナーダイオード３３１のツェナー電圧を、蛍光灯インバータ安定器から起動時に印加される低電圧（例えば、５〜１０Ｖ程度の電圧）よりも大きく、かつ、定常時に印加される高電圧（例えば、１００Ｖ）よりも小さく設定している。ツェナー電圧は、例えば、３０Ｖ程度とすることができる。なお、この所定電圧（ツェナー電圧）は、ツェナーダイオード３３１のツェナー電圧を変えることにより変更可能であり、例えば、定常時と起動時の間に当たる予熱モード（数十V程度）等の状態においても、整流回路２４及び２５側に電流を流さないように設定することもできる。
【００４５】
これにより、電圧検知回路３３には、蛍光灯インバータ安定器から印加される電圧が所定電圧未満（ツェナー電圧未満）では電流が流れず、所定電圧以上（ツェナー電圧以上）になると電流が流れる。すなわち、蛍光灯インバータ安定器から印加される電圧が所定電圧未満では蛍光灯インバータ安定器側から整流回路２４及び２５側に電流が流れず、蛍光灯が正常に装着された場合と同様に振る舞う。
【００４６】
これにより、蛍光灯インバータ安定器が蛍光灯が正常に装着された場合と異なる動作をすることを防止できる。その結果、照明灯２に不点灯やちらつき等が生じ、安定して点灯できないという問題を解消できる。
【００４７】
蛍光灯インバータ安定器は、その後定常動作に移行する。定常時には、ツェナーダイオード３３１のツェナー電圧よりも高い電圧が蛍光灯インバータ安定器から印加されるため、ツェナーダイオード３３１及び抵抗３３２に電流が流れ、抵抗３３２は本来の機能（放電等）を果たすことができる。なお、起動時の低電圧で電流が流れる箇所が複数ある場合には、電圧検知回路３３と同様な回路を複数個所に設ければよい。
【００４８】
なお、電圧検知回路３３をドライブ回路２６側に設けてもよい。この場合、インバータ検知回路２８が蛍光灯安定器５０が蛍光灯インバータ安定器であることを検知した場合には、電圧検知回路３３はドライブ回路２６と共にバイパスされる。しかしながら、起動時に印加される低電圧ではインバータ検知回路２８が蛍光灯インバータ安定器を検知できず、切替回路が電圧検知回路３３及びドライブ回路２６をバイパスしない側に切り替わっていることがあり得る。
【００４９】
この場合にも、電圧検知回路３３を設けておくことで、起動時に照明灯２に電流が流れないようにすることができる。その後、蛍光灯インバータ安定器が定常動作に移行すると、インバータ検知回路２８が蛍光灯インバータ安定器を検知して切替回路により電圧検知回路３３はドライブ回路２６と共にバイパスされる。つまり、電圧検知回路３３は定常時の動作には関与しない。
【００５０】
しかし、照明灯２が蛍光灯インバータ安定器以外に接続された場合に、電圧検知回路３３及びドライブ回路２６が接続される。その際、照明灯２には、ツェナーダイオード３３１のツェナー電圧以上の電圧が供給されるため、ツェナーダイオード３３１及び抵抗３３２に電流が流れ、抵抗３３２は本来の機能（放電等）を果たすことができる。
【００５１】
このように、第１の実施の形態に係る照明灯２では、電圧検知回路３３を設けることにより、蛍光灯インバータ安定器から起動時に低電圧が印加された場合に誤動作（不点灯やちらつき等）が生じることを回避可能となる。これにより、ＬＥＤモジュール２７を安定して点灯させることができる。
【００５２】
〈第２の実施の形態〉
第２の実施の形態では、電圧検知回路の他の構成例を示す。なお、第２の実施の形態において、既に説明した実施の形態と同一構成部についての説明は省略する場合がある。
【００５３】
図８は、第２の実施の形態に係る照明灯の主要な回路の結線を例示する図である。図８を参照するに、照明装置１Ａでは、照明灯２に電圧検知回路３３Ａが搭載されている。電圧検知回路３３Ａは、蛍光灯インバータ安定器から印加される電圧が所定電圧未満では蛍光灯インバータ安定器側から整流回路２４及び２５側に電流を流さず、所定電圧以上になると蛍光灯インバータ安定器側から整流回路２４及び２５側に電流を流す回路である。
【００５４】
電圧検知回路３３Ａは、直列に接続されたツェナーダイオード３３１と抵抗３３３と抵抗３３４により構成することができる。図８の例では、ツェナーダイオード３３１のカソード側は、正側配線３１と接続されている。又、ツェナーダイオード３３１のアノード側は抵抗３３３の一端と接続され、抵抗３３３の他端は抵抗３３４の一端と接続されている。又、抵抗３３４の他端は、負側配線３２と接続されている。
【００５５】
抵抗３３３と抵抗３３４は分圧回路を構成しており、ツェナーダイオード３３１のアノード側の電圧を分圧し、抵抗３３３と抵抗３３４との接続部３３５から所定の電圧を取り出すことができる。所定の電圧は、抵抗３３３と抵抗３３４との比率により任意に決定することができる。
【００５６】
例えば、接続部３３５をＩＣやトランジスタ等に接続することにより、ＩＣやトランジスタ等の電源として利用することができる。必要に応じ、抵抗３３４と並列にコンデンサを設け、所定の電圧を安定化してもよい。又、ツェナーダイオード３３１と直列に更に多くの抵抗を接続し、複数の異なる電圧を取り出せるようにしてもよい。
【００５７】
このように、複数の抵抗が直列に接続された分圧回路に更にツェナーダイオードを直列に接続して電圧検知回路を構成してもよい。
【００５８】
〈第３の実施の形態〉
第３の実施の形態では、電圧検知回路の更に他の構成例を示す。なお、第３の実施の形態において、既に説明した実施の形態と同一構成部についての説明は省略する場合がある。
【００５９】
図９は、第３の実施の形態に係る照明灯の主要な回路の結線を例示する図である。図９を参照するに、照明装置１Ｂでは、照明灯２に電圧検知回路３３Ｂが搭載されている。電圧検知回路３３Ｂは、蛍光灯インバータ安定器から印加される電圧が所定電圧未満では蛍光灯インバータ安定器側から整流回路２４及び２５側に電流を流さず、所定電圧以上になると蛍光灯インバータ安定器側から整流回路２４及び２５側に電流を流す回路である。
【００６０】
電圧検知回路３３Ｂは、ツェナーダイオード３３１と抵抗３３２により構成されている点は電圧検知回路３３（図７参照）と同様である。しかし、ツェナーダイオード３３１がカソードを整流回路２４及び２５側に向けて正側配線３１に挿入されている点が、電圧検知回路３３とは異なる。
【００６１】
ツェナーダイオード３３１のアノードは、抵抗３３２の一端と接続され、抵抗３３２の他端は負側配線３２と接続されている。ツェナーダイオード３３１のアノードと抵抗３３２の一端との接続部は、ＬＥＤモジュール２７と接続されている。或いは、ツェナーダイオード３３１のアノードと抵抗３３２の一端との接続部は、ドライブ回路２６（図９では図示せず）を介して、ＬＥＤモジュール２７と接続される場合もある。
【００６２】
このように、放電用等の抵抗３３２よりも前段の（口金側の）正側配線にツェナーダイオードを挿入して電圧検知回路を構成してもよい。但し、この場合には、定常時にもツェナーダイオードに電流が流れ電圧降下が生じるので、第１の実施の形態及び第２の実施の形態の電圧検知回路と比較すると、電力のロスが生じる。
【００６３】
なお、第２の実施の形態のように、抵抗３３２の代わりに分圧回路を構成する複数の抵抗を設けても構わない。
【００６４】
以上、好ましい実施の形態及びその変形例について詳説したが、上述した実施の形態及びその変形例に制限されることはなく、特許請求の範囲に記載された範囲を逸脱することなく、上述した実施の形態及びその変形例に種々の変形及び置換を加えることができる。
【００６５】
例えば、上記実施の形態では、照明灯の例として、蛍光灯グロー安定器、蛍光灯ラピッド安定器、蛍光灯インバータ安定器、及び商用交流電源の何れとも接続できるものを示した。しかし、本発明は、正側配線と負側配線との間に配された直流インピーダンス素子を備えたものであって、少なくとも蛍光灯インバータ安定器に接続可能な照明灯に適用できる。すなわち、前記の直流インピーダンス素子を備えたものであって、蛍光灯インバータ安定器のみに接続可能な照明灯にも適用できるし、蛍光灯インバータ安定器に接続可能であり、他の蛍光灯安定器や商用交流電源とも接続可能な照明灯にも適用できる。
【００６６】
又、直流インピーダンス素子は、両端に直流電圧が印加された際に定常的に電流が流れる素子であれば抵抗でなくてもよく、例えば、インダクタやサーミスタ等、又はそれらと抵抗との組み合わせ等であってもよい。或いは、ＩＣ内部の直流インピーダンスを直流インピーダンス素子の代わりに用いてもよい。
【００６７】
又、蛍光灯インバータ安定器のみに接続可能な照明灯の場合には、図２乃至図６、及び図１０の回路ブロック中の必要なもののみを搭載すればよい。例えば、インバータ検知回路やラピッド検知回路、フィルタ回路、ドライブ回路等は搭載しなくてもよい。
【符号の説明】
【００６８】
１、１Ａ、１Ｂ  照明装置
２  照明灯
５  灯具
２０  透光部
２１、２２  口金
２３  フィルタ回路
２４、２５  整流回路
２６  ドライブ回路
２７  ＬＥＤモジュール
２８  インバータ検知回路
２９  ラピッド検知回路
３１  正側配線
３２  負側配線
３３、３３Ａ、３３Ｂ  電圧検知回路
５０  蛍光灯安定器
５１、５２  ソケット
６１  切替回路
６３  高周波用フィルタ回路
６６  第２のドライブ回路
２１１、２１２、２２１、２２２、５１１、５１２、５２１、５２２  端子
２７１  発光ダイオード
３３１  ツェナーダイオード
３３２、３３３、３３４  抵抗
【先行技術文献】
【特許文献】
【００６９】
【特許文献１】特許第５１０８９９４号
【図１】
2015179650.tif 000003
【図２】
2015179650.tif 000004
【図３】
2015179650.tif 000005
【図４】
2015179650.tif 000006
【図５】
2015179650.tif 000007
【図６】
2015179650.tif 000008
【図７】
2015179650.tif 000009
【図８】
2015179650.tif 000010
【図９】
2015179650.tif 000011
【図１０】
2015179650.tif 000012